(57)【特許請求の範囲】
【請求項１】
一対の側板と、これらを連結する連結部材とを備えた楽器本体に設けられ、該楽器本体に支持される操作子を、実質的に前記側板に支持された状態で、前記操作子を覆う位置と開放する位置とに前後方向に移動自在に設けられた蓋体と、
前記蓋体前端部の両側部に設けられた前側係合部と、
前記各側板の内側前部に設けられ、前記前側係合部と係合して前記蓋体前部の移動をガイドする前部ガイド部と、
前記蓋体後部の両側部に設けられた後側係合部と、
前記各側板の内側後部に設けられ、前記後側係合部と係合して前記蓋体後部の移動をガイドする後部ガイド部と、
前記後部ガイド部に沿って延び、前記後側係合部が前記後部ガイド部から上方へ離脱するのを阻止する係合保持部とを備え、
前記係合保持部は、前記蓋体が前方へ移動して前記操作子を前端まで覆う位置に移動したときに、前記後部係合部が該係合保持部から解放されて上方への取り出しが可能となるように、終端していることを特徴とする鍵盤楽器の蓋体開閉構造。
【発明の詳細な説明】
【０００１】
【発明の属する技術分野】
本発明は、電子ピアノ、電子オルガン等の鍵盤楽器において、鍵盤、操作スイッチ等の操作子を開閉自在に覆う蓋体を備えた鍵盤楽器の蓋体開閉構造に関するものである。なお、本明細書では、鍵盤楽器において演奏者が位置する側を「前」、これとは反対の背板側を「後」と称することとする。
【０００２】
【従来の技術】
従来より、電子ピアノ等の鍵盤楽器には、不使用時に鍵盤等の操作子を保護するため、操作子を開閉自在に覆う蓋体が設けられている。この蓋体は、後端部に鍵並び方向に延びる軸部材を備え、その両端部にピニオンが回転自在に取り付けられている。ピニオンは、楽器本体の側板の内側に設けられたスライドラックに噛合し、これにより蓋体が楽器本体の前後方向にスムーズにスライドする。また、軸部材の両端部はピニオンから突出し、側板の内側には前後方向に延びる溝が形成されている。この溝に沿って上記突出部分が摺動することで、ピニオンがスライドラックから離脱するのが防止される。この突出部分は、蓋体の閉鎖及び開放の各状態において前記溝のほぼ前端及び後端の位置をとることを考慮して、前記溝の中間部に設けられ上方に開いた開口部から溝内に挿入されるようになっている。
【０００３】
【発明が解決しようとする課題】
しかしながら、上記構成では、突出部分を溝内に挿入した後に、開口部を閉じる封鎖部材が必要になるため、部品点数が多くなり、製造コストが高くなるという問題がある。また、蓋体の取り付け、取り外しの際に、封鎖部材を開口部に着脱しなければならず、作業が煩雑になるという問題もある。
【０００４】
本発明は、上記問題を解決するためになされたものであり、蓋体の取り付け及び取り外し作業を容易にし、しかも製造コストを低減することができる鍵盤楽器の蓋体開閉構造を提供することを目的とする。
【０００５】
【課題を解決するための手段】
本発明は、上記目的を達成するため、一対の側板と、これらを連結する連結部材とを備えた鍵盤楽器本体に設けられ、該楽器本体に支持される操作子を、実質的に前記側板に支持された状態で、前記操作子を覆う位置と開放する位置とに前後方向に移動自在に設けられた蓋体と、前記蓋体前端部の両側部に設けられた前側係合部と、前記各側板の内側前部に設けられ、前記前側係合部と係合して前記蓋体前部の移動をガイドする前部ガイド部と、前記蓋体後部の両側部に設けられた後側係合部と、前記各側板の内側後部に設けられ、前記後側係合部と係合して前記蓋体後部の移動をガイドする後部ガイド部と、前記後部ガイド部に沿って延び、前記後側係合部が前記後部ガイド部から上方へ離脱するのを阻止する係合保持部とを備え、前記係合保持部は、前記蓋体が前方へ移動して前記操作子を前端まで覆う位置に移動したときに、前記後部係合部が該係合保持部から解放されて上方への取り出しが可能となるように、終端していることを特徴とする鍵盤楽器の蓋体開閉構造を提供するものである。
【０００６】
このような構成によれば、蓋体を操作子の前端まで覆う位置に配置したときに、係合保持部と後側係合部との係合状態が解除されるように係合保持部が終端しているため、蓋体を上記前端の位置に配置するだけで、蓋体後部の係脱が可能になり、蓋体の取り付け、及び取り外しを行うことができる。したがって、従来のように、係合保持部の中間部に、後側係合部を挿通するための開口部、及び開口部を封鎖する封鎖部材を設ける必要がなく、製造コストを低減することができる。また、封鎖部材の取り付け及び取り外し作業が不要となるため、作業時間を短縮することも可能となる。
【０００７】
上記蓋体開閉構造においては、前部ガイド部が、蓋体の移動範囲の最前部付近において下方へ屈曲する屈曲部を有し、前部ガイド部が屈曲部の下端に達したときに、後側係合部が前記終端を越えて係合保持部から解放されるように構成されていることが好ましい。これにより、蓋体が取り外される位置が限定されたものとなり、蓋体が容易に取り外されるのを防止できる。
【０００８】
また、係合保持部が、後部ガイド部に平行に延びて前記終端に至っており、後側係合部が、後部ガイド部上を転動する転動体と、係合保持部に沿って移動し該係合保持部により前記終端を越えるまで上方への移動を規制される突出部とを備えていることがさらに好ましい。この構成によれば、転動体が後部ガイド部上を滑ることなく転動しながら蓋体の移動をガイドするため、蓋体がガタ付くことなく、スムーズな移動が可能となる。
【０００９】
【発明の実施の形態】
以下、本発明に係る鍵盤楽器の蓋体開閉構造の一実施形態を電子ピアノに適用した場合について図面を参照しつつ説明する。図１は本実施形態が適用される電子オルガンの斜視図、図２は電子オルガンの内部を示す斜視図、図３は蓋体を示す正面図及び側面図である。
【００１０】
図１に示すように、本実施形態における電子ピアノ１は、下側板３上で前後方向に延びる一対の側板５と、これら側板５を連結する天板７、棚板９及び背板（連結部材）とを有する楽器本体１１を備えており、この楽器本体１１に配設された鍵盤等の操作子が、前後方向にスライドする蓋体１３によって覆われている。本実施形態では、操作子は、図２に示すように、棚板９の中央部及び前部に支持される鍵盤１５及び電源スイッチ１７となっている。なお、上記操作子には、音色設定スイッチ、効果設定スイッチ、自動演奏関係スイッチ群等、鍵盤楽器の演奏及び操作に関わるものが含まれることがある。
【００１１】
図３に示すように、蓋体１３は、矩形の板状に形成されたものである。蓋体１３は、その最前部にアルミニウムの押出成形により製造された板状部材１９を備えており、この板状部材１９は鍵盤１５の前端面を覆うように取り付けられている。蓋体１３の前端部１４ａ、つまり板状部材１９の前端部の側面には後述するガイド溝と係合するガイドピン２１が取り付けられている。一方、蓋体１３の後端部１６ａには、蓋体１３の幅方向、つまり鍵盤１５の並ぶ方向に延びる軸部材２３がブラケット２５を介して取り付けられている。軸部材２３の両端部には、ピニオン２７が回転自在に取り付けられている。そして、軸部材２３の両端は、ピニオン２７からやや外方に突出した状態となって突出部２９を形成し、この突出部２９が後述する溝状の保持部に係合される。なお、本実施形態では、ガイドピン２１が本発明の前側係合部、ピニオン２７及び突出部２９が本発明の後側係合部を構成している。
【００１２】
図２に示すように、楽器本体１１の側板５の前部内側２０には、蓋体１３のガイドピン２１が係合し蓋体前部１４をガイドするガイド溝３１が形成されている。このガイド溝３１は、楽器本体１１の側面視において鍵盤１５の後方から前方へとＬ字状をなし、鍵盤１５の後部付近まで延びている。すなわち、このガイド溝３１は、鍵盤１５の前端面に沿って上下方向に延びる第１溝部３１ａ、及び第１溝部３１ａの上端から鍵盤１５の上面に沿って後方へと延びる第２溝部３１ｂから構成されている。
【００１３】
一方、側板５の後部内側２２には、上記した蓋体１３の突出部２９が係合する保持部３３、及びピニオン２７が噛合するスライドラック３５が設けられており、これらは、ガイド溝３１の後端付近を始点として後方に僅かに下降しつつ背板３７付近まで延びている。保持部３３は、水平方向に延びるＵ字状に形成され、側板５の内側にネジ止めされている。すなわち、内部に溝３９を有し、最前部が開口部４０で終端するように形成されている。蓋体１３の突出部２９は、保持部３３の溝３９に係合し、溝３９に沿って前後方向に摺動可能となっている。スライドラック３５は、保持部３３の下側に取り付けられている。保持部３３とスライドラック３５とは別部材で構成してもよいし、一体成形することもできる。なお、本実施形態では、保持部３３が本発明の係合保持部、スライドラック３５が本発明の後側ガイド部を構成している。
【００１４】
また、保持部３３及びスライドラック３５と蓋体１３とは、次の位置関係をとるように構成されている。すなわち、蓋体１３が操作子の前端２４まで覆う最前位置に配置されているとき、ピニオン２７はスライドラック３５の前端部に噛合した状態となり、突出部２９は保持部３３の溝３９との係合が解除された状態、つまり開口部４０からやや前方へと抜け出た状態となる。そして、この状態から蓋体１３を少しでも後方へスライドさせると、突出部２９は保持部３３の溝３９と係合するようになっている。
【００１５】
次に、上記のように構成された蓋体開閉構造における蓋体の取り付け及び取り外し方法について説明する。図４に示すように、蓋体１３を楽器本体１１に取り付ける場合には、まず、左右いずれかのガイドピン２１を一方のガイド溝３１に最も奧まで挿入し、その状態から他方のガイドピン２１を他方のガイド溝３１に挿入するようにして、ガイドピン２１をガイド溝３１の最前部、つまり第１溝部３１ａの下端に係合させる。続いて、ガイドピン２１を中心として、蓋体１３の後部１６を旋回させ、後端部１６ａのピニオン２７をスライドラック３５に噛合させる。このとき、蓋体１３は最前位置にあるため、ピニオン２７から突出する突出部２９は、保持部３３の開口からやや前方の位置、つまり保持部３３とは係合しない位置に配置される。この状態から蓋体１３の前部１４を持ち上げるようにすると、蓋体後部１６は、スライドラック３５に沿って後方へ移動する。その時以降、突出部２９は保持部３３と係合する。すなわち、図５に示すように、ピニオン２７から外方へ突出する突出部２９が、保持部３３の溝３９に係合するため、蓋体１３がスライドする際には、ピニオン２７がスライドラック３５から離脱して上方に移動するのが防止される。
【００１６】
最後に、側板５の後部２２を覆うように天板７を配置する。天板７は、図４に示すように、底部に設けられた係止部材４３が側板５の後部２２に設けられた板状の支持部材４５に係止するとともに、後端部が背板３７の上端部に係合することにより、固定される。
【００１７】
蓋体１３を開くには、最前部の板状部材１９をガイド溝３１に沿って上方に持ち上げた後、後方へ押しやると容易に開くことができる。上記のように蓋体１３にはピニオン２７が設けられ、スライドラック３５と噛合しているため、例えば、蓋体１３の一側部のみを把持してスライドさせた場合であっても、蓋体１３は平行移動をし、ガタつくことなくスムーズに開閉動作を行うことができる。
【００１８】
蓋体１３を取り外す場合には、蓋体１３を最前位置に配置した後、天板７を取り外す。蓋体１３を最前位置に移動させると、突出部２９は保持部３３から解放されて上方への取り出しが可能となるため、蓋体１３の後部１６を持ち上げ、ピニオン２７をスライドラック３５から離脱させることができる。このとき、ガイド溝３１の最前部に移動しているガイドピン２１が回転中心となるため、蓋体１３を容易に持ち上げることができる。最後に、ガイド溝３１からガイドピン２１を取り外すと蓋体１３の取り外しが完了する。ガイドピン２１の取り外しは、上記した取り付け方法を逆の順序で行えばよい。なお、この実施形態では、天板７の最前部は、最前位置にある蓋体１３の最後部を覆う位置となるように配設されている。そのため、天板７が取り付けられている場合には、蓋体１３を上方に持ち上げることはできず、取り外すことはできない。
【００１９】
以上のように、本実施形態によれば、蓋体１３を最前位置に配置したときに、保持部３３と突出部２９との係合状態が解除されるように保持部３３が終端しているため、蓋体１３を最前位置に配置するだけで、蓋体１３の後部１６の係脱が可能となり、蓋体の取り付け、取り外しを行うことができる。したがって、従来のように、保持部の中間部に、突出部を挿通するための開口部、及び開口部を封鎖する封鎖部材を設ける必要がなく、製造コストを低減することができる。また、封鎖部材の取り付け及び取り外し作業が不要となるため、作業時間を短縮することも可能となる。
【００２０】
また、蓋体前端部のガイドピン２１が係合するガイド溝３１は、前部が屈曲した形状になっているため、蓋体１３を単に後方から前側に移動させるだけでなく、蓋体１３の前端部１４ａを屈曲部分に沿って下方へ落とし込まなければ蓋体１３を最前位置に配置することはできない。このように、本実施形態では、蓋体１３の最前位置を限定されたものとしているため、蓋体１３が容易に取り外されるのを防止することができる。
【００２１】
本発明は上記実施形態に限定されるものではなく、その趣旨を逸脱しない限りにおいて種々の変更が可能である。例えば、上記実施形態では、保持部３３と係合する突出部２９を軸部材２３の両端部によって構成しているが、軸部材２３とは別個の部材を蓋体１３に設け、これを保持部３３に係合させるようにすることもできる。また、突出部２９及びピニオン２７の位置は、必ずしも蓋体１３の後端部１６ａである必要はなく、蓋体１３の中間部から後端部に亘る位置に設けることができる。
【００２２】
また、蓋体１３の前端部１４ａと側板５の前部２０との係合を、ガイドピン２１とガイド溝３１とによって行っているが、これらの部材の凹凸関係を逆にすることもできる。例えば、ガイド溝３１を突条に置き換え、蓋体１３のガイドピン２１をこの突条に係合する凹所を有したＵ字状部材とすることができる。同様に、蓋体１３の後部１６に凹所を有したＵ字状部材を設けるとともに、これに係合する突条を保持部３３に設け、これにより、ピニオン２７がスライドラック３５から離脱するのを防止するようにしてもよい。
【００２３】
上記実施形態では、蓋体１３のスライドをスムーズにするため、スライドラック３５とピニオン２７とを用いているが、これに限定されるものではなく、例えばガイドレールと、このレール上を摩擦力によって保持されながら転動する転動体（例えばゴムローラ）とを用いることもできる。つまり、蓋体１３の一側部を押してもスムーズにスライドするように、レール上を滑ることなく確実に転動するような転動体が設けられていればよい。
【００２４】
また、上記実施形態では、蓋体１３の後側にピニオン２７と突出部２９とを設けているが、突出部２９を設けないようにすることもできる。すなわち、保持部３３が、ピニオン２７の上方を覆うようにして、ピニオン２７の離脱を防止するように構成することもできる。この場合、ピニオン２７が本発明の後側係合部を構成する。
【００２５】
上記のように蓋体１３の前端部１４ａ及び後部１６と係合する部材は、側板５の前部２０及び後部２２で別部材によって構成されているが、これらを一体成形してもよい。つまり、本発明の前部ガイド部と後部ガイド部とを一体成形により構成することもできる。
【００２６】
上記実施形態では、本発明を電子ピアノに適用した場合について説明しているが、これ以外にも操作子を開閉自在に覆う蓋体を有する鍵盤楽器であれば適用できるのは勿論である。また、本発明の蓋体開閉構造は、鍵盤のみ、鍵盤と他の操作子、及び鍵盤以外の操作子のみを覆う蓋体に対して適用することができる。
【００２７】
【発明の効果】
以上の説明から明らかなように、本発明の蓋体開閉構造によれば、蓋体を操作子の前端まで覆う位置に配置したときに、係合保持部と後側係合部との係合状態が解除されるように係合保持部が終端しているため、蓋体を上記前端の位置に配置するだけで、係合保持部と後側係合部との係脱が可能となり、蓋体の取り付け及び取り外しを行うことができる。したがって、従来のような、後側係合部を挿通するための開口部、及び開口部を封鎖する封鎖部材を設ける必要がなく、製造コストを低減したり、取り付け及び取り外しに係る作業時間を短縮することが可能となる。
【図面の簡単な説明】
【図１】本発明に係る蓋体開閉構造の一実施形態が適用される電子オルガンの斜視図である。
【図２】図１の電子オルガンの内部を示す斜視図である。
【図３】図１の電子オルガンの蓋体を示す平面図及び側面図である。
【図４】図１の電子オルガンにおける蓋体の取り付け及び取り外しを説明する断面図である。
【図５】図４のＡ−Ａ線に沿う切断端面をピニオンとともに示す図である。
【符号の説明】
１      鍵盤楽器
５      側板
７      天板（連結部材）
９      棚板（連結部材）
１１    楽器本体
１４    蓋体前部
１４ａ  蓋体前端部
１５    鍵盤（操作子）
１６    蓋体後部
１６ａ  蓋体後端部
１７    電源スイッチ（操作子）
２０    側板前部
２１    ガイドピン（前側係合部）
２２    側板後部
２４    鍵盤前端（操作子前端）
２７    ピニオン（後側係合部）
２９    突出部（後側係合部）
３１    ガイド溝（前部ガイド部）
３３    保持部（係合保持部）
３５    スライドラック（後部ガイド部）
３７    背板（連結部材）
【図１】
0003818374.tif 000002
【図２】
0003818374.tif 000003
【図３】
0003818374.tif 000004
【図４】
0003818374.tif 000005
【図５】
0003818374.tif 000006